(57)【要約】【課題】  記録紙に装着された複数のＩＣタグの不良を検出し、不良ＩＣタグに対応する画像データの記録紙への印字記録を禁止し、良品ＩＣタグに対応する画像データを再編集し、記録紙へ画像を印字する情報処理装置及び情報処理方法を提供する。【解決手段】  情報処理装置２０の制御装置４０Ｂには、第１画像メモリ４２、第２画像メモリ４３、画像形成装置２１、不良ＩＣタグ検出装置３７、ＩＣタグ１１に記録する電子情報やプリントする画像データを編集するコンピュータ３５が接続され、制御装置４０Ｂの制御部４１の機能として画像配置部４１ａ、画像分割部４１ｂ、割付け情報記憶部４１ｃが形成される。画像配置部４１ａはコンピュータから入力された画像データ及び画像割付け情報に基づいてＩＣタグに応じて画像データを割当てる。不良ＩＣタグが検出されると良品ＩＣタグに画像データを割当てるよう再編集し、画像形成装置に出力する。【選択図】        図６
2006327067.tif 000002
【特許請求の範囲】
【請求項１】
装着されたＩＣタグに対応した画像記録領域を備える記録媒体に可視画像を印字記録する情報処理装置において、
前記記録媒体に可視画像を印字記録する画像形成装置と、
前記画像形成装置へ前記記録媒体を搬送する搬送路上に配置された前記ＩＣタグの良否を検出する不良ＩＣタグ検出装置と、
外部から入力された画像データに基づいて前記ＩＣタグに対応した画像記録領域に印字記録する画像データの編集を行い、前記画像形成装置に出力する制御装置と、
を備え、
前記制御装置は、前記不良ＩＣタグ検出装置により不良ＩＣタグが検出されたときは、不良ＩＣタグに対応する画像記録領域に印字記録する予定の画像データに代えて当該画像記録領域のＩＣタグが不良であることを示す特定の画像データを挿入し、画像記録領域に印字記録する画像データの再編集を行うこと
を特徴とする情報処理装置。
【請求項２】
前記ＩＣタグが不良であることを示す特定の画像データは、白紙の画像データ又は特定パターンの画像データであること
を特徴とする請求項１に記載の情報処理装置。
【請求項３】
前記制御装置は、入力された画像データをＩＣタグ単位に分割する画像分割部と、ＩＣタグに対する画像データの割付けを示す割付け情報を記憶する割付け情報記憶部と、画像配置部とを備え、前記画像分割部は入力された画像データをＩＣタグ単位に分割し、前記画像配置部は前記割付け情報に基づいてＩＣタグ単位の画像データをＩＣタグに対応して割り付けること
を特徴とする請求項１に記載の情報処理装置。
【請求項４】
前記制御装置は、不良ＩＣタグが検出されたときは、不良ＩＣタグに対応する画像記録領域に印字記録する予定の画像データに代えて当該画像記録領域のＩＣタグが不良であることを示す特定の画像データを挿入すると共に、不良ＩＣタグに対応する画像記録領域に印字記録する予定の画像データを、それ以降に印字記録する画像データに含めて画像記録領域に印字記録する画像データの再編集を行うこと
を特徴とする請求項２に記載の情報処理装置。
【請求項５】
前記制御装置は、前記不良ＩＣタグに対応する画像記録領域に印字記録する予定の画像データを、それ以降に印字記録する画像データの最後に移して画像記録領域に印字記録する画像データの再編集を行うこと
を特徴とする請求項４に記載の情報処理装置。
【請求項６】
前記制御装置は、前記不良ＩＣタグに対応する画像記録領域に印字記録する予定の画像データを、それ以降に印字記録する任意の画像データの後に移して画像記録領域に印字記録する画像データの再編集を行うこと
を特徴とする請求項４に記載の情報処理装置。
【請求項７】
前記制御装置の割付け情報記憶部に記憶されている割付け情報は、所定の基準位置のＩＣタグに対する画像データの割付け位置を示す絶対割付け情報であること
を特徴とする請求項３に記載の情報処理装置。
【請求項８】
前記制御装置の割付け情報記憶部に記憶されている割付け情報は、直前の画像位置のＩＣタグに対する画像データの割付け位置を示す相対割付け情報であること
を特徴とする請求項３に記載の情報処理装置。
【請求項９】
前記情報処理装置は、ＩＣタグに電子情報の読取り及び／又は書込みを行う読取／書込装置を備え、前記制御装置は、当該制御装置による画像記録領域に印字記録する画像データの再編集に対応して、画像記録領域に装着されているＩＣタグに対する電子情報の割り当てを変更すること
を特徴とする請求項１に記載の情報処理装置。
【請求項１０】
装着されたＩＣタグに対応した画像記録領域を備える記録媒体に可視画像を印字記録する情報処理方法であって、
印字記録装置へ向けて前記記録媒体を搬送する途中において前記ＩＣタグの良否を検出する良否検出ステップと、
外部から入力された画像データに基づいて前記ＩＣタグに対応した画像記録領域に印字記録する画像データの編集を行う編集ステップとを含み、
前記画像データの編集に際して、不良ＩＣタグが検出されたときは、不良ＩＣタグに対応する画像記録領域に印字記録する予定の画像データに代えて当該画像記録領域のＩＣタグが不良であることを示す特定の画像データを挿入し、画像記録領域に印字記録する画像データを再編集すること
を特徴とする情報処理方法。
【発明の詳細な説明】
【技術分野】
【０００１】
この発明はＩＣタグが装着された記録紙に文字図形等の可視画像の印字記録を行う情報処理装置に関し、特に、記録紙に装着されたＩＣタグに不良品が発見されたときは、その不良ＩＣタグの装着された記録紙上への可視画像の印字記録を禁止し、印字記録する画像データを再編集する情報処理装置及び情報処理方法に関する。
【背景技術】
【０００２】
記憶装置と通信装置、及びアンテナを備えた無線通信素子は、非接触で電子情報の読取り及び／又は書込みを行なうことができる半導体素子で、ＲＦ−ＩＤ素子などと呼ばれており、クレジットカードなど各種ＩＣカードなどに内蔵され使用されているが、最近は、各種商品に付けるラベルなどにも上記した無線通信素子を装着してその商品に関する各種の情報を電子的に記録させておき、必要に応じて電子的に記録された各種情報（以下、電子情報という）を読み出して商品管理などに使用することが提案されている。
【０００３】
無線通信素子（以下、ＩＣタグ）に対して読取り及び／又は書込みを行うには、連続して搬送される記録紙などの搬送媒体（以下、記録紙又は連続用紙という）の上にＩＣタグを接着その他の手段で装着し、この記録紙を電子情報の読取り及び／又は書込みを行なう読取り／書込み装置（以下、Ｒ／Ｗ装置という）を備えた処理装置を通過させ、Ｒ／Ｗ装置のアンテナとＩＣタグのアンテナを経由して電子情報の送受信を行い、非接触の状態でＩＣタグに電子情報の読取り及び／又は書込みを行なうものが知られている。
【０００４】
そして、記録紙には、画像形成装置などによりＩＣタグに記録された電子情報に関連する情報や文字、図形等の可視画像を印刷し、所定のサイズに裁断すれば商品に付けるＩＣタグ付きの下げ札が完成し、商品管理などを効果的に行なうことができる。
【０００５】
ＩＣタグは静電気など電気的衝撃に弱いため、ＩＣタグが装着された記録紙に可視画像を印刷するまでにＩＣタグが損傷して使用不能になるものがあるが、外観からは使用不能か否かを判別することができない。
【０００６】
この対策として、ＩＣタグが装着された記録紙に可視画像を印刷記録する際、ＩＣタグが損傷しているか否かを判定して、損傷している場合は、そのＩＣタグが装着された記録紙に通常とは異なる印字を行い、損傷したＩＣタグが装着された記録紙を排除することができるように構成した装置が提案されている（特許文献１参照）。
【０００７】
また、ＩＣタグが装着された記録紙に可視画像を印刷する際、ＩＣタグが損傷しているか否かを判定して、損傷している場合は、そのＩＣタグが装着された記録紙を空送りして印字せず、損傷したＩＣタグが装着された記録紙を排除することができるように構成した装置も提案されている（特許文献２参照）。
【特許文献１】特開２００３−１１９３９号公報。
【特許文献２】特開２００３−１５９８３８号公報。
【発明の開示】
【発明が解決しようとする課題】
【０００８】
上記したＩＣタグが装着された記録紙に可視画像を印刷する画像形成装置は、主として熱転写方式やインキジェット方式の画像形成装置であって、記録紙を間欠送りする比較的低速のもので、ＩＣタグは一列に配置されている。
【０００９】
これら従来の画像形成装置で、ＩＣタグが記録紙の搬送方向に沿って複数列に配置、即ち搬送方向と直交する幅方向に複数列に配置されている記録紙を使用するときは、複数列に配置されたＩＣタグの中で１個でも損傷した不良ＩＣタグが発見されたときは、その不良ＩＣタグが装着された記録紙の幅方向部分の全部の使用を禁止する旨の印字をしたり、空送りすることになる。
【００１０】
また、ＩＣタグが記録紙の１ページに搬送方向に沿って複数列に、且つ搬送方向に沿って複数段に配置されている記録紙を使用するときは、１ページ分のＩＣタグの中で１個でも不良ＩＣタグが発見されたときは、その不良ＩＣタグが装着された記録紙１ページ全部を、使用を禁止する旨の印字をしたり空送りすることになる。このため、上記いずれの場合であっても良品のＩＣタグまで無駄に廃棄してしまう結果となる。
【００１１】
また、上記したように、不良ＩＣタグが発見されたとき、不良ＩＣタグが装着された記録紙の幅方向部分の全部、或いは不良ＩＣタグが装着された記録紙１ページ全部を、使用を禁止する印字をしたり空送りするときは、ＩＣタグが複数列に配置されている記録紙の幅方向部分に合わせて編集された画像データ、或いはＩＣタグが装着された記録紙１ページ分の編集された画像データを全て廃棄し、記録紙の幅方向部分、或いは次の記録紙１ページ分に合わせて再編集し、再度画像形成装置の作像手段に転送する必要がある。
【００１２】
このような画像データの廃棄、再編集のための処理時間は、画像形成装置を制御するコンピュータの処理能力やタイミング、及び画像データの容量などに依存するにしても、多大の時間を必要とし、特に、ＩＣタグの損傷検出装置領域と記録紙への画像形成領域との間隔が狭いと、画像データの廃棄、再編集のための処理が終了する前に記録紙が画像形成領域に到達する場合が予想され、このような場合に対応するために、記録紙の搬送速度を低下させたり間欠送りするなど、画像形成装置の生産性、即ち、時間当たりの記録紙の処理枚数を低下させる結果となる。
【００１３】
画像形成装置の生産性を維持するには、不良ＩＣタグの検出装置と記録紙へ画像を形成する作像部との間隔を拡げることで可能となるが、このような構成にすると画像形成装置が大型になるという不都合が発生する。
【００１４】
この発明は、上記した不良ＩＣタグが発見されたときの画像データ廃棄、再編集のための処理時間を短縮し、不良ＩＣタグ検出装置と作像部との間隔を拡げることなく、高い生産性を維持できる情報処理装置及び情報処理方法を提供することを目的とする。
【課題を解決するための手段】
【００１５】
この発明は、上記課題を解決するもので、請求項１の発明は、装着されたＩＣタグに対応した画像記録領域を備える記録媒体に可視画像を印字記録する情報処理装置において、前記記録媒体に可視画像を印字記録する画像形成装置と、前記画像形成装置へ前記記録媒体を搬送する搬送路上に配置された前記ＩＣタグの良否を検出する不良ＩＣタグ検出装置と、外部から入力された画像データに基づいて前記ＩＣタグに対応した画像記録領域に印字記録する画像データの編集を行い、前記画像形成装置に出力する制御装置とを備え、前記制御装置は、前記不良ＩＣタグ検出装置により不良ＩＣタグが検出されたときは、不良ＩＣタグに対応する画像記録領域に印字記録する予定の画像データに代えて当該画像記録領域のＩＣタグが不良であることを示す特定の画像データを挿入し、画像記録領域に印字記録する画像データの再編集を行うことを特徴とする情報処理装置である。
【００１６】
そして、前記ＩＣタグが不良であることを示す特定の画像データは、白紙の画像データ又は特定パターンの画像データとするものとする。
【００１７】
また、前記制御装置は、入力された画像データをＩＣタグ単位に分割する画像分割部と、ＩＣタグに対する画像データの割付けを示す割付け情報を記憶する割付け情報記憶部と、画像配置部とを備え、前記画像分割部は入力された画像データをＩＣタグ単位に分割し、前記画像配置部は前記割付け情報に基づいてＩＣタグ単位の画像データをＩＣタグに対応して割り付ける。
【００１８】
また、前記制御装置は、不良ＩＣタグが検出されたときは、不良ＩＣタグに対応する画像記録領域に印字記録する予定の画像データに代えて当該画像記録領域のＩＣタグが不良であることを示す特定の画像データを挿入すると共に、不良ＩＣタグに対応する画像記録領域に印字記録する予定の画像データを、それ以降に印字記録する画像データに含めて画像記録領域に印字記録する画像データの再編集を行うものとする。
【００１９】
また、前記制御装置は、前記不良ＩＣタグに対応する画像記録領域に印字記録する予定の画像データを、それ以降に印字記録する画像データの最後に移して画像記録領域に印字記録する画像データの再編集を行うようにしてもよい。
【００２０】
また、前記制御装置は、前記不良ＩＣタグに対応する画像記録領域に印字記録する予定の画像データを、それ以降に印字記録する任意の画像データの後に移して画像記録領域に印字記録する画像データの再編集を行うようにしてもよい。
【００２１】
そして、前記制御装置の割付け情報記憶部に記憶されている割付け情報は、所定の基準位置のＩＣタグに対する画像データの割付け位置を示す絶対割付け情報である。
【００２２】
また、前記制御装置の割付け情報記憶部に記憶されている割付け情報は、直前の画像位置のＩＣタグに対する画像データの割付け位置を示す相対割付け情報であってもよい。
【００２３】
さらに、前記情報処理装置は、ＩＣタグに電子情報の読取り及び／又は書込みを行う読取／書込装置を備え、前記制御装置は、当該制御装置による画像記録領域に印字記録する画像データの再編集に対応して、画像記録領域に装着されているＩＣタグに対する電子情報の割り当てを変更するものとする。
【００２４】
請求項１０の発明は、装着されたＩＣタグに対応した画像記録領域を備える記録媒体に可視画像を印字記録する情報処理方法であって、印字記録装置へ向けて前記記録媒体を搬送する途中において前記ＩＣタグの良否を検出する良否検出ステップと、外部から入力された画像データに基づいて前記ＩＣタグに対応した画像記録領域に印字記録する画像データの編集を行う編集ステップとを含み、前記画像データの編集に際して、不良ＩＣタグが検出されたときは、不良ＩＣタグに対応する画像記録領域に印字記録する予定の画像データに代えて当該画像記録領域のＩＣタグが不良であることを示す特定の画像データを挿入し、画像記録領域に印字記録する画像データを再編集することを特徴とする情報処理方法である。
【発明の効果】
【００２５】
以上詳細に説明したとおり、請求項１の発明は、装着されたＩＣタグに対応した画像記録領域を備える記録媒体に可視画像を印字記録する情報処理装置において、不良ＩＣタグが検出されたときは、不良ＩＣタグに対応する画像記録領域に印字記録する予定の画像データに代えて当該画像記録領域のＩＣタグが不良であることを示す特定の画像データを挿入し、画像記録領域に印字記録する画像データの再編集を行うものである。
【００２６】
これにより、不良ＩＣタグが装着された画像記録領域が目視で明らかになるほか、不良ＩＣタグに対応する画像記録領域に印字記録する予定の画像データを、それ以降に印字記録する画像データに含めて画像データを再編集するから、例えば１ページに複数の画像記録領域があり、それぞれにＩＣタグが装着されているような場合は、不良ＩＣタグが装着された画像記録領域以外の良品のＩＣタグが装着された画像記録領域には、不良ＩＣタグに対応する印字記録予定の画像を含めて印字記録することができ、良品のＩＣタグが装着された画像記録領域が残る記録媒体を有効に使用することができる。
【００２７】
そして、このような画像データの編集は、外部のコンピュータとの間で画像データの転送なしに情報処理装置の制御装置において実行できるから、処理速度を高め高い生産性を維持することができるなど、優れた効果を奏するものである。
【００２８】
また、請求項１０の発明は、請求項１の発明と同様に、不良ＩＣタグが検出されたときは、不良ＩＣタグに対応する画像記録領域に印字記録する予定の画像データに代えて当該画像記録領域のＩＣタグが不良であることを示す特定の画像データを挿入し、画像記録領域に印字記録する画像データの編集を行うものであるから、請求項１の発明と同様の優れた効果を奏するものである。
【発明を実施するための最良の形態】
【００２９】
以下、この発明の実施の形態について説明する。この発明の実施の形態の情報処理装置を説明する前に、関連する構成として、ＩＣタグの概略を説明する。
【００３０】
図１は、ＩＣタグ１１の正面図である。ＩＣタグ１１は非接触で電子情報の読取り及び／又は書込みを行なうことができる半導体素子であって、電子情報を記憶する記憶装置を含む無線通信装置１１ａとその周囲に配置されたアンテナ１１ｂとから構成され、図示しない電子情報の読取り及び／又は書込みを行なう読取り／書込み装置（以下、Ｒ／Ｗ装置という）の間で無線通信により電子情報の読取り及び／又は書込みを行なうことができる。この出願では、ＩＣタグ１１は、無線通信装置１１ａとアンテナ１１ｂとを含めたものをＩＣタグ１１と呼ぶものとする。
【００３１】
なお、図１において、ＩＣタグ１１の外形線はＩＣタグとそのアンテナ領域を示すもので、ＩＣタグのアンテナの電界強度が、図示しないＲ／Ｗ装置とそのアンテナとの間で正常に交信できる所定の信号レベル以上の領域（有領域）を示している。
【００３２】
図２は、ＩＣタグの装着された記録媒体である記録紙に可視画像を印字記録するとともに、装着されているＩＣタグの不良品を検出する不良ＩＣタグ検出装置を備えた情報処理装置２０の構成を説明する図である。ここでは記録紙としてカットシートを使用したもので説明するが、連続用紙を使用することもできることは言うまでもない。
【００３３】
なお、記録紙は、画像編集単位、例えばページ単位に複数の画像記録領域が設けられ、各画像記録領域にはそれぞれＩＣタグが装着されているものとする。
【００３４】
図２において、２１は公知の画像形成装置であって、感光体２２の周囲には、帯電装置２３、レーザ装置を備えた露光装置２４、現像装置２５、転写装置２６、クリーニング装置２７が配置され、記録紙の搬送方向下流側には定着装置２８が配置されているほか、給紙トレイ３０及び排紙トレイ３１が画像形成装置２１に取付けられている。さらに、給紙トレイ３０と画像形成装置２１の給紙口２１ａとの間には、記録紙上に装着されたＩＣタグ１１の不良品を検出する不良ＩＣタグ検出装置３７が配置されている。
【００３５】
画像形成装置２１は制御装置４０で制御されるが、ここではコンピュータ３５から出力された画像データによる作像動作について簡単に説明する。なお、制御装置４０では、後述するように、不良ＩＣタグ検出装置３７で不良ＩＣタグが検出されると、不良ＩＣタグが装着されている記録紙の画像記録領域は白紙として画像を形成せず、或いは特定パターンを記録して、不良ＩＣタグが装着されていることが目視で明らかになるようにする。
【００３６】
そして、不良ＩＣタグと判定されたＩＣタグに対応する画像データを含めて、不良でないＩＣタグに対応して記録紙に記録する画像データを再編集する。これについては、後で詳細に説明する。
【００３７】
電源の投入により、感光体２２が矢印ａ方向に回転を開始し、感光体２２の表面は帯電装置２３により均一に帯電される。コンピュータ３５から出力されて制御装置４０の記憶装置に一旦格納されていた画像編集単位、例えばページ単位に編集された複数の画像記録領域に対応する画像データは、露光装置２４に出力され、画像信号で変調されたレーザ光が感光体２２の表面に投射されて画像潜像が形成される。感光体２２表面に形成された画像潜像は、現像装置２５に装填されているトナーで現像され、トナー像が形成される。
【００３８】
一方、給紙トレイ３０には、後述するＩＣタグの装着された記録紙１２が収納されており、給紙トレイ３０から矢印ｂ方向に搬送された記録紙１２はタイミングローラ２９で一旦停止しているが、感光体２２の矢印ａ方向の回転によりトナー像が転写位置に到達するタイミングに合わせてタイミングローラ２９が回転を開始し、記録紙１２は転写位置に搬送される。感光体２２の表面に形成されたトナー像は、転写装置２６の作用により記録紙１２上に転写される。記録紙１２は定着装置２８に搬送されてトナー像の定着処理が行われ、排紙トレイ３１に排出される。このとき、前記したとおり、不良ＩＣタグ検出装置３７で不良ＩＣタグが検出されると、不良ＩＣタグに対応する画像データは記録紙上では白紙とし、画像を形成しないように制御される。
【００３９】
図３は、ＩＣタグ１１が装着された記録紙１２の正面図で、１ページに４個のＩＣタグ１１が搬送方向である矢印ｂ方向に沿って２列に、搬送方向と交差する方向に２段に配置されている。図３においてＡ、Ｂ、Ｃ、Ｄ、Ｅ、Ｆ、Ｇ、Ｈはそれぞれ画像データＡ〜Ｈに対応する画像記録領域で、各画像記録領域の左上には、ＩＣタグ１１ａ、１１ｂ、１１ｃ、１１ｄ、１１ｅ、１１ｆ、１１ｇ、１１ｈが装着されている。なお、記録紙１２における画像データＡ〜Ｈの画像記録領域や、各画像記録領域に配置されているＩＣタグ１１ａ〜１１ｈの配置は説明のための一例で、これに限られるものではない。
【００４０】
次に、この発明の実施の形態の情報処理装置２０の制御装置４０の画像記録領域の取扱いに関する制御動作について説明する。制御装置４０には第１の実施の形態の制御装置４０Ａと、第２の実施の形態の制御装置４０Ｂとがある。以下、順次説明する。
【００４１】
［第１の実施の形態］
図４は、第１の実施の形態の情報処理装置の制御装置４０Ａの構成の概略を説明するブロック図で、制御装置４０ＡはＣＰＵなどで構成された制御部３４を中心に構成され、その入出力ポートには、画像メモリ３８、不良ＩＣタグ検出装置３７、画像形成装置２１、ＩＣタグ１１に記録する電子情報や印字記録すべき画像データを編集して出力するコンピュータ３５が接続される。
【００４２】
コンピュータ３５から印字記録すべき画像データがページ単位に編集されて制御装置４０Ａに出力されると、ページ単位の画像データは一旦画像メモリ３８に格納され、その後、画像形成装置２１に出力され、ＩＣタグ１１が装着された記録紙にページ単位で順次可視画像が印字記録される。
【００４３】
不良ＩＣタグの検出と、不良ＩＣタグが検出された場合の画像データの取扱いについて説明する。画像形成装置２１には、画像を形成する作像機構よりも記録紙搬送方向上流側に不良ＩＣタグ検出装置３７が配置されており、ＩＣタグ１１の良否に関するデータが制御装置４０Ａに出力される。
【００４４】
制御装置４０ＡではＩＣタグ１１が良品であると判別されたときは、画像メモリ３８に格納されている該当するＩＣタグ１１に対応する画像データを含むページ単位の画像データを画像形成装置２１に出力する。
【００４５】
制御装置４０ＡにおいてＩＣタグ１１が不良品であると判別されたときは、コンピュータ３５にＩＣタグ１１が不良品であることを通知する。コンピュータ３５では不良品と判別されたＩＣタグ１１に対応する画像データを編集領域から外し、白紙或いはＩＣタグ１１が不良である旨を表示する特定パターンの画像データを編集して制御装置４０Ａに出力する。
【００４６】
さらに、コンピュータ３５では前記編集領域から外された不良品と判別されたＩＣタグ１１に対応する画像データを、それ以降にプリントすべき画像データに加えてページ単位の画像データを再編集し、制御装置４０Ａに出力する。
【００４７】
図５は、情報処理装置の制御装置４０Ａによるページ単位の画像処理を説明する図で、ＩＣタグ１１が装着された記録紙１２と画像データの画像記録領域を示しており、先に図３を参照して説明した記録紙１２において、ＩＣタグ１１ｃが不良品であると判別されたときの、画像データの再編集が行われた結果を示している。
【００４８】
以下、図３及び図５を参照して、コンピュータ３５で実行されるページ単位の画像データの再編集の具体例を説明する。
【００４９】
先に説明した図３では、記録紙１２のページＰ１の画像データとして画像データ［Ａ、Ｂ、Ｃ、Ｄ］が編集され、ページＰ１の画像記録領域Ａ、Ｂ、Ｃ、ＤにはＩＣタグ１１ａ、１１ｂ、１１ｃ、１１ｄが装着されている。また、ページＰ２の画像データとして画像データ［Ｅ、Ｆ、Ｇ、Ｈ］が編集され、ページＰ２の画像記録領域Ｅ、Ｆ、Ｇ、ＨにＩＣタグ１１ｅ、１１ｆ、１１ｇ、１１ｈが装着されている。
【００５０】
ＩＣタグ１１ｃが不良品であると検出されたときの画像データの編集は次のように行われる。不良ＩＣタグ１１ｃに対応する画像データには画像データＣを割り当てず、これに代えて白紙（又は特定パターン）の画像データを割り当てる。
【００５１】
そして、新たな画像データとして上記した不良ＩＣタグ１１ｃに対応する画像データＣを含めて［Ａ、Ｂ、（白紙）、Ｃ］をページＰ１の画像データとして編集する。ページＰ１の画像データから溢れた画像データＤは、ページＰ２の画像データとして再編集される。即ち、新たな画像データ［Ｄ、Ｅ、Ｆ、Ｇ］がページＰ２の画像データとして再編集され、以下、順次、各ページについて、新たな画像データの再編集が行われる。
【００５２】
上記したように、ここでは、不良ＩＣタグ１１ｃに対応する画像データＣを順次ずらして画像データを再編集しているが、不良ＩＣタグに対応する画像データを通常の最後の画像データの後に配置するか、予め特定の画像データの後に割付けるようにしてもよく、最終的な可視画像のプリント形式を考慮して適宜決定するようにしてもよい。
【００５３】
上記した情報処理装置の制御装置４０Ａによる画像データの編集では、不良ＩＣタグが発見されると、コンピュータ３５による画像データの再編集と再転送が必要となる。そこで、この点を改良し、コンピュータによる画像データの再編集と再転送を行なうことなく、画像データの編集に改良を加えて画像データの編集を一層効率的に処理するようにしたものが、以下説明する第２の実施の形態の情報処理装置の制御装置である。
【００５４】
［第２の実施の形態］
図６は、この発明の第２の実施の形態の情報処理装置の制御装置４０Ｂの構成の概略を説明するブロック図で、制御装置４０Ｂは、ＣＰＵなどで構成された制御部４１を中心に構成され、その入出力ポートには、第１画像メモリ４２、第２画像メモリ４３、画像形成装置２１、不良ＩＣタグ検出装置３７、ＩＣタグ１１に記録する電子情報やプリントすべき画像データを編集して出力するコンピュータ３５が接続される。
【００５５】
また、制御装置４０Ｂの制御部４１で実行される機能として、画像配置部４１ａ、画像分割部４１ｂ、割付け情報記憶部４１ｃが形成されている。
【００５６】
制御装置４０Ｂには、コンピュータ３５からプリントすべき画像データ及びＩＣタグの配置位置に対応した画像割付け情報が転送される。転送された画像データは第１画像メモリ４２に一時格納され、ＩＣタグの配置位置に対応した画像割付け情報は割付け情報記憶部４１ｃに格納される。第１画像メモリ４２に一時格納された画像データが、複数のＩＣタグに対応する画像データを１つの単位、例えばページ単位とした画像データであるときは、画像分割部４１ｂにおいて、１個のＩＣタグに対応した単位の画像データに分割され、分割された画像データは第２画像メモリ４３に格納される。
【００５７】
制御装置４０Ｂには、不良ＩＣタグ検出装置３７から入力されたＩＣタグ１１の良否に関する情報が入力される。画像配置部４１ａは、ＩＣタグ１１の良否に関する情報と、割付け情報部記憶４１ｃに格納されたＩＣタグの配置位置に対応した画像割付け情報と、第２画像メモリ４３に格納された個々のＩＣタグに対応する画像データに基づいて、ページ単位に画像データを編集し、画像形成装置２１に出力する。画像形成装置２１は、入力されたページ単位の画像データを露光装置２４に出力し、ＩＣタグの装着された記録紙に可視画像を印字記録する。
【００５８】
図７は、制御装置４０Ｂによる画像処理の一例を説明する図である。図７の（ａ）は、コンピュータ３５で編集された、記録紙上に割付けられた画像データの画像記録領域とＩＣタグの配置位置の関係を説明する図で、記録紙１２のページＰ１には、ＩＣタグ１１ａ、１１ｂ、１１ｃ、１１ｄに対応して画像データＡ、Ｂ、Ｃ、Ｄが割付けられており、ページＰ２にはＩＣタグ１１ｅ、１１ｆ、１１ｇ、１１ｈに対応して画像データＥ、Ｆ、Ｇ、Ｈが割付けられていることが示されている。
【００５９】
コンピュータ３５で編集された画像データは、制御装置４０Ｂの制御部４１に転送され、一旦、第１画像メモリ４２に格納された後、画像分割部４１ｂでＩＣタグ単位に分割されて第２画像メモリ４３に格納され、ＩＣタグの配置位置に対応した割付け情報が割付け情報記憶部４１ｃに格納される。画像配置部４１ａは、ＩＣタグ１１の良否に関する情報とＩＣタグの配置位置に対応した画像割付け情報、及び第２画像メモリ４３に格納された個々のＩＣタグに対応する画像データに基づいて画像の割付けを行い、ページ単位の画像データを編集する。
【００６０】
図７の（ｂ）は、ＩＣタグの配置位置に対応した割付け位置情報と割付けられた画像データの対応関係を示す図で、ＩＣタグ１１ａ〜１１ｆの位置情報Ｘ１、Ｘ２、Ｘ３、Ｘ４、Ｘ５、Ｘ６・・に対して画像データＡ、Ｂ、Ｃ、Ｄ、Ｅ、Ｆ・・が割付けられていることを示している。
【００６１】
ここで、不良ＩＣタグ検出装置３７から入力されたＩＣタグ１１の良否に関する情報が制御装置４０Ｂの制御部４１に入力され、ＩＣタグ１１ｃが不良であると判定されたとすると、割付け情報記憶部４１ｃに格納されたＩＣタグに対応した画像データを参照して、不良ＩＣタグ１１ｃの位置情報Ｘ３に対応する画像データＣの領域に、白紙の画像データを割り当てる。
【００６２】
図７の（ｃ）は、上記した不良ＩＣタグ１１ｃに対応する画像データの領域に白紙の画像データが割り当てられた結果を示しており、位置情報Ｘ３に対応する画像データＣは、新たにＩＣタグ位置情報Ｘ４、Ｘ５、Ｘ６・・・に対応する画像データＣ、Ｄ、Ｅとして再割当てされている。
【００６３】
図７の（ｄ）は、上記した画像データの再割当ての結果を示すもので、記録紙１２のページＰ１には、ＩＣタグ１１ａ、１１ｂ、１１ｃ、１１ｄに対応して画像データ［Ａ、Ｂ、（白紙）、Ｃ］が割付けられ、記録紙１２のページＰ２には、ＩＣタグ１１ｅ、１１ｆ、１１ｇ、１１ｈに対応して画像データ［Ｄ、Ｅ、Ｆ、Ｇ］が割付けられていることが示されている。
【００６４】
上記したとおり、不良ＩＣタグ１１が検出された場合は、画像配置部４１ａは、ＩＣタグ１１の良否に関する情報（この場合は不良を示す情報）と、割付け情報部記憶４１ｃに格納されたＩＣタグの配置位置に対応した画像割付け情報と、個々のＩＣタグに対応する画像データに基づいて、ページ単位の画像データを編集し、画像形成装置２１に出力する。画像形成装置２１は入力されたページ単位の画像データを露光装置２４に出力し、ＩＣタグの装着された記録紙に可視画像を印字記録する。
【００６５】
不良ＩＣタグ検出装置３７で、不良ＩＣタグ１１が検出されなかった場合も、画像配置部４１ａは、ＩＣタグ１１の良否に関する情報（この場合は良を示す情報）と、割付け情報部記憶４１ｃに格納されたＩＣタグの配置位置に対応した画像割付け情報と、個々のＩＣタグに対応する画像データに基づいて、ページ単位の画像データを編集し、画像形成装置２１に出力する。画像形成装置２１は入力されたページ単位の画像データを露光装置２４に出力し、ＩＣタグの装着された記録紙に可視画像を印字記録する。
【００６６】
上記した処理においては、不良ＩＣタグ１１ｃの位置情報Ｘ３に対応する画像記録領域Ｃに、白紙の画像データを割当てているが、ＩＣタグ１１ｃが不良であることを示す白紙以外の特定パターンの画像データを割当ててもよい。
【００６７】
また、上記の例では、ＩＣタグ１１ｃに割当てる予定の画像データをＩＣタグ１１ｄに割当て、以下、それぞれのＩＣタグに割当てる予定の画像データを順次ずらして割当てているが、不良ＩＣタグに割当てる予定の画像データを、最後に処理するＩＣタグに割当てるか、または予め決定された特定のＩＣタグに割当てるようにしてもよい。いずれにしても、最終的に画像がプリントされた後、扱い易い処理をすればよい。
【００６８】
また、割付け情報記憶部４１ｃに格納されたＩＣタグに対応した画像データの配置位置に関する情報は、所定の基準位置のＩＣタグに対する画像データの割付け位置を示す絶対割付け情報として記憶させてもよく、また直前のＩＣタグに対する画像データの割付け位置を示す相対割付け情報として記憶させてもよい。
【００６９】
このように、第２の実施の形態の制御装置では、一旦コンピュータ３５からページ単位に編集された画像データが転送された後は、不良ＩＣタグが発見されても制御装置４０Ｂの内部でページ単位に画像データの再編集を行ない、コンピュータ３５に再転送してページ単位に画像データを再編集を行わないので、制御装置４０Ｂとコンピュータ３５との間の画像データの転送等のための処理時間を省くことができ、処理時間を大幅に短縮することが可能となる。
【００７０】
この他、ＩＣタグに書込むべき電子情報は、コンピュータ３５から制御装置４０Ｂに入力され、不良ＩＣタグ検出装置３７と並列して配置されている図示されていないＲ／Ｗ装置により書込むように構成されている。
【００７１】
先に説明したとおり、不良ＩＣタグ検出装置３７により不良ＩＣタグが検出されたときは、そのＩＣタグへの電子情報の書込みは行われず、その不良ＩＣタグに対応する画像データは、次のＩＣタグに対応する画像データに再編集される。
【００７２】
従って、不良ＩＣタグに書込みを予定していた電子情報は、前記画像データの再編集に対応して、次の良品のＩＣタグに書込むように処理を変更する必要がある。この場合の処理の変更は、先に説明した不良ＩＣタグが検出されたときの画像データ処理と同様の処理で達成することができる。即ち、不良ＩＣタグが検出されたときに画像データを順次ずらすときは、電子情報も順次ずらせばよく、また、不良ＩＣタグが検出されたときに不良ＩＣタグに割当てる予定の電子情報を、最後に処理するＩＣタグに割当てるようにしてもよく、予め決定された特定のＩＣタグに割当てるようにしてもよい。
【産業上の利用可能性】
【００７３】
記録紙に装着された複数のＩＣタグの不良を検出し、不良ＩＣタグに対応する画像データの記録紙への印字記録を禁止し、良品のＩＣタグに対応する画像データを再配置して記録紙へ画像を印字記録する情報処理装置及び情報処理方法である。
【図面の簡単な説明】
【００７４】
【図１】ＩＣタグの構成を説明する正面図。
【図２】実施の形態の情報処理装置の構成を説明する図。
【図３】ＩＣタグ１１が装着された記録紙の正面図。
【図４】第１の実施の形態の情報処理装置の制御装置の構成の概略を説明するブロック図。
【図５】第１の実施の形態の情報処理装置の制御装置による画像処理を説明する図。
【図６】第２の実施の形態の情報処理装置の制御装置の構成の概略を説明するブロック図。
【図７】第２の実施の形態の情報処理装置の制御装置による画像処理を説明する図。
【符号の説明】
【００７５】
１１  ＩＣタグ
１１ａ  無線通信装置
１１ｂ  アンテナ
２０  情報処理装置
２１  画像形成装置
２１ａ  給紙口
２２  感光体
２３  帯電装置
２４  露光装置
２５  現像装置
２６  転写装置
２７  クリーニング装置
２８  定着装置
２９  タイミングローラ
３０  給紙トレイ
３１  排紙トレイ
３４  制御部
３５  コンピュータ
３７  不良ＩＣタグ検出装置
３８  画像メモリ
４０Ａ  第１の実施の形態の制御装置
４０Ｂ  第２の実施の形態の制御装置
４１  制御部
４１ａ  画像配置部
４１ｂ  画像分割部
４１ｃ  割付け情報記憶部
４２  第１画像メモリ
４３  第２画像メモリ
【図１】
2006327067.tif 000003
【図２】
2006327067.tif 000004
【図３】
2006327067.tif 000005
【図４】
2006327067.tif 000006
【図５】
2006327067.tif 000007
【図６】
2006327067.tif 000008
【図７】
2006327067.tif 000009